(57)【要約】【課題】クワシロカイガラムシのふ化直後の幼虫防除として有効な方法に関し、刊行物の発表では、１月１日を基準に、５０％の個体が産卵した時期は、有効積算温度が略１４７．８日度に達した時、また雌介殻内の卵の半数がふ化した５０％ふ化卵塊率の時期は、２８７日度であった。有効積算温度を正確に捉え、ふ化直後の幼虫に、確実に薬液を散布し、防除できることが究明されつつあるが、現場での対策は必ずしも十分でない。【構成】本発明は、圃場に設置した透孔性を備えたホースと、ホースに薬液を供給するポンプと、ポンプに指令を発する積算データ集計機構及び警報表示等の表示機構とを備えた積算装置と、積算装置に設けた指示手段で構成し、ホースを圃場の茶果樹内に収容し、また積算装置の指令で、薬液手段を作用するプログラムを積算装置に組入れ可能とした防除適期積算装置である。【選択図】図１
2007244303.tif 000002
【特許請求の範囲】
【請求項１】
圃場に設置した薬液を噴霧可能な噴霧用の透孔性を備えたホースと、このホースに薬液を供給するポンプ、薬液搬送器等の薬液手段と、この薬液手段に指令を発する積算データ集計機構及び警報表示並びに運転、停止等の運転状況を表示、又は積算状況を表示する表示機構とを備えた積算装置と、この積算装置に設けた指示手段で構成し、
前記噴霧手段を圃場の茶果樹内に収容し、また前記積算装置の指令で、前記薬液手段を作用するプログラムを当該積算装置に組入れ可能な構成とした防除適期積算装置。
【請求項２】
請求項１に記載の防除適期積算装置において、その薬液手段及び／又は積算装置を、前記圃場に多数設置する構成であって、この多数の積算装置の中で、所定のエリアの積算装置が指令を発した場合に、このエリアにある薬液手段が薬液を散布する構成とした防除適期積算装置。
【請求項３】
請求項１に記載の防除適期積算装置において、圃場で栽培する対象物が、茶、果実、植物等の人の食生活に関する生物とする構成とした防除適期積算装置。
【請求項４】
請求項１に記載の防除適期積算装置において、その薬液は、圃場の茶樹で寄生するクワシロカイガラムシ等の害虫のふ化直後の幼虫に有効な処理液とする構成とした防除適期積算装置。
【請求項５】
請求項４に記載の防除適期積算装置において、その圃場の茶樹で寄生するクワシロカイガラムシ等の害虫のふ化直後の幼虫に対する防除に有効な積算時間は、日数換算して、略１００日度〜略１，０００日度程度とする構成とした防除適期積算装置。
【請求項６】
圃場に設置した薬液を噴霧可能な透孔性を備えたホースと、このホースに薬液を供給するポンプ、薬液搬送器等の薬液手段と、この薬液手段に指令を発する積算データ集計機構及び警報表示並びに運転、停止等の運転状況を表示、又は積算状況を表示する表示機構とを備えた積算装置を利用した茶樹で寄生するクワシロカイガラムシ等の害虫のふ化直後の幼虫に対する防除に有効な積算時間を、日数換算して、略１００日度〜略１，０００日度程度にする構成とした防除適期積算装置を利用したクワシロカイガラムシ等の害虫の防除方法であって、
このクワシロカイガラムシ等の害虫の防除方法は、前記積算装置に設けた積算データ集計機構からの指令を介して前記圃場の所定の薬液手段に指令し、この薬液手段を作動するとともに、この薬液手段より薬液を噴霧する構成とし、各前記積算装置及び／又は各薬液手段を個別に作用し、前記圃場において、所定の箇所のクワシロカイガラムシ等の害虫を防除する構成とした防除適期積算装置を利用したクワシロカイガラムシ等の害虫の防除方法。
【発明の詳細な説明】
【技術分野】
【０００１】
本発明は、茶、果実、植物等の樹、枝、新梢等の枝幹（樹枝）に生殖する害虫、例えば、クワシロカイガラムシ、又はマツモトコナカイガラムシ、フジコナカイガラムシ、コナカイガラムシ、ウメシロカイガラムシ等（以下、原則として、クワシロカイガラムシで説明する）の害虫のふ化直後の幼虫の防除に有効な防除適期積算装置と、この防除適期積算装置を利用した樹枝の汁液（樹液）を吸う害虫の防除方法に関する。
【背景技術】
【０００２】
業界及び／又は研究機関等において、害虫の一種であり、その被害が甚大であるクワシロカイガラムシであって、そのふ化直後における幼虫の防除として有効な方法が発表されており、周知な事実である。例えば、刊行物等の文献及び／又は研究期間によるその成果として、次のような技術（知識）が知られている。その一例を下記に示す。
【０００３】
例えば、独立行政法人農業技術研究機構の刊行物に掲載されている。その内容は、この越冬したクワシロカイガラムシのふ化直後における幼虫の防除に関して、１月１日を基準として、５０％の個体が産卵した時期は、有効積算温度が略１４７．８日度に達したときであり、また雌介殻内の卵の半数がふ化した、例えば、５０％ふ化卵塊率の時期は、２８７日度であった。従って、この有効積算温度を正確に捉えて、このクワシロカイガラムシの雌介殻内の卵がふ化後２〜５日に薬液を散布することで、その繁殖を防除できることが究明されつつある。尚、ふ化前では、このクワシロカイガラムシの卵は、雌介殻内で生育するので、散布による死滅は困難視される。また従来の振動及び／又は吸引等の方法でも、樹枝に生殖するクワシロカイガラムシの捕捉又は排除並びに死滅は困難視される。勿論、この従来の振動及び／又は吸引等の方法と、本発明を併用することも相乗効果か期待できるので有効と考えられる。
【０００４】
そして、前述したこの種の研究も有効であるが、現実には、確実に成果を確認するまでには至っていないと考えられる。そして、この成果は、刊行物において図表として公開されているので、表１で参考として下記に示す。この表１に於いては、その実施の時期は、２００２年と表示されている。
【０００５】
表１
2007244303.tif 000003
また静岡県茶業試験場からの報告では、場内にある毎時の観測データを用いて有効積算温度を利用し、そのふ化最盛日を推定する。そして、この推定を基に実際の茶樹に生殖して、そのふ化した状態を対比した結果では、両者のふ化の日数は略同じであった。従って、前述の有効積算温度を利用し、そのふ化最盛日を推定することと、この推定の日数を基に薬液を散布することによって、この種のクワシロカイガラムシのふ化後の幼虫の防除に有効であることが確認できた。そして、この推定による予想値とこの実測値に関し、刊行物において図表として公開されているので、表２と、表３とで参考として下記に示す。この表２と、表３に於いては、その実施の時期は、２０００・２００１年と表示されている。
【０００６】
表２
2007244303.tif 000004
表３
2007244303.tif 000005
以上で詳述した各所で実験されている状況よりして、各圃場において、有効積算温度を推定し、これに基づいて防除することが望ましい。そして、この最盛期の推定には、温度の積算が主体であることから、例えば、温度の低下（１０度以下）の日数、降雨の日数等の条件設定を怠ることなく、確実に実施することが必須である。
【０００７】
そして、この種のクワシロカイガラムシは枝に生殖することが知られているので、剪枝を積極的に実行することが、その防除に有効であることも一部で知られている。また経年で行われる剪枝後において、樹幹部に寄生（生殖）するクワシロカイガラムシ雌成虫の防除に極めて有効であることが判明していることから、前述の有効積算温度を利用した防除方法と、この剪枝作業との相乗効果を図る方法が最適である。
【０００８】
尚、クワシロカイガラムシによる公害としては、例えば、幼虫、雌成虫による樹液の吸汁により茶樹の威勢の劣化、又は新芽の生長劣化、葉の黄化、落葉等が発生し、最悪では枝の枯死の由々しき状況となる。そして、防除の最適な時期（適期）は、ふ化後２〜５日である。従って、この適期を見過ごすと、幼虫、雌成虫が一気に寄生することから、その防除効果は一気にダウンすると云われており、この時期を見過ごさずに確実に防除することが必須である。
【発明の開示】
【発明が解決しようとする課題】
【０００９】
以上で説明した如く、有効積算温度を利用し、その防除最適時期（適期）を推定し、この推定した日数を基に薬液を散布する方法では、クワシロカイガラムシのふ化直後の幼虫の防除に有効であることが確認できた。しかし、圃場の現場に即し、かつ実用に供するまでには至っていないのが現況である。またこの有効積算温度を計測し、防除実績を確保するに最適な防除適期積算装置と、この有効積算温度の測定を利用した防除適期積算装置に関する機種が開発されていないのが現況である。
【課題を解決するための手段】
【００１０】
請求項１の発明は、圃場の現場に即し、かつ実用に供し得る構造であって、かつ有効積算温度を計測し、この計測に基づいて、防除実績を確保するのに最適な防除適期積算装置を提供すること、またこの有効積算温度を計測し、この計測を利用して防除が確実に図れる構造の防除適期積算装置を提供すること等を意図する。そして、最適な防除期間を検出し、適切な各箇所、例えば、樹枝に対して防除用薬液を散布すること、この最適で、かつ薬効が確保できる散布を介して樹枝の衰退、薬液公害及び／又は健康障害等の回避を図ること、さらに経済性の向上を図ること等を意図する。
【００１１】
請求項１の発明は、圃場に設置した薬液を噴霧可能な噴霧用の透孔性を備えたホースと、このホースに薬液を供給するポンプ、薬液搬送器等の薬液手段と、この薬液手段に指令を発する積算データ集計機構及び警報表示並びに運転、停止等の運転状況を表示、又は積算状況を表示する表示機構とを備えた積算装置と、この積算装置に設けた指示手段で構成し、
前記噴霧手段を圃場の茶果樹内に収容し、また前記積算装置の指令で、前記薬液手段を作用するプログラムを当該積算装置に組入れ可能な構成とした防除適期積算装置である。
【００１２】
請求項２の発明は、請求項１の目的を達成すること、この目的を達成するのに最適な薬液手段及び／又は積算装置の配置構造を提供することを意図する。
【００１３】
請求項２は、請求項１に記載の防除適期積算装置において、その薬液手段及び／又は積算装置を、前記圃場に多数設置する構成であって、この多数の積算装置の中で、所定のエリアの積算装置が指令を発した場合に、このエリアにある薬液手段が薬液を散布する構成とした防除適期積算装置である。
【００１４】
請求項３の発明は、請求項１の目的を達成すること、この目的を達成するのに最適な積算装置の立設構造を提供することを意図する。
【００１５】
請求項３は、請求項１に記載の防除適期積算装置において、圃場で栽培する対象物が、茶、果実、植物等の人の食生活に関する生物とする構成とした防除適期積算装置である。
【００１６】
請求項４の発明は、請求項１の目的を達成すること、この目的を達成するのに最適な処理液を提供することを意図する。
【００１７】
請求項４は、請求項１に記載の防除適期積算装置において、その薬液は、圃場の茶樹で寄生するクワシロカイガラムシのふ化直後の幼虫に有効な処理液とする構成とした防除適期積算装置である。
【００１８】
請求項５の発明は、請求項４の目的を達成すること、この目的を達成するのに最適な有効な積算時間を確保することを意図する。
【００１９】
請求項５は、請求項４に記載の防除適期積算装置において、その圃場の茶樹で寄生するクワシロカイガラムシのふ化直後の幼虫に対する防除に有効な積算時間は、日数換算して、略１００日度〜略１，０００日度（第２世代、第３世代を含む）程度とする構成とした防除適期積算装置である。
【００２０】
請求項６の発明は、圃場の現場に即し、かつ実用に供し得る構造であって、かつ有効積算温度を計測し、この計測に基づいて、防除実績を確保するのに最適な防除適期積算装置を提供すること、またこの有効積算温度を計測し、この計測を利用して防除が確実に図れる構造の防除適期積算装置を提供すること等を意図する。そして、最適な防除期間を検出し、適切な各箇所、例えば、樹枝に対して防除用薬液を散布すること、この最適で、かつ薬効が確保できる散布を介して薬液公害及び／又は健康障害等の回避を図ること、さらに最小限の農薬で、農薬費、人件費等を削減可能とすること、又は経済性の向上が図れるクワシロカイガラムシの防除方法を提供することを意図する。
【００２１】
請求項６は、圃場に設置した薬液を噴霧可能な透孔性を備えたホースと、このホースに薬液を供給するポンプ、薬液搬送器等の薬液手段と、薬液手段に指令を発する積算データ集計機構及び警報表示並びに運転、停止等の運転状況を表示、又は積算状況を表示する表示機構とを備えた積算装置を利用した茶樹で寄生するクワシロカイガラムシのふ化直後の幼虫に対する防除に有効な積算時間を、日数換算して、略１００日度〜略１，０００日度（第２世代、第３世代を含む）程度にする構成とした防除適期積算装置を利用したクワシロカイガラムシの防除方法であって、
このクワシロカイガラムシの防除方法は、前記積算装置に設けた積算データ集計機構からの指令を介して前記圃場の所定の薬液手段に指令し、この薬液手段を作動させるとともに、この薬液手段より薬液を噴霧する構成とし、各前記積算装置及び／又は各薬液手段を個別に作用し、前記圃場において、所定の箇所のクワシロカイガラムシを防除する構成とした防除適期積算装置を利用したクワシロカイガラムシの防除方法である。
【発明の効果】
【００２２】
請求項１の発明は、圃場に設置した薬液を噴霧可能な噴霧用の透孔性を備えたホースと、ホースに薬液を供給するポンプ、薬液搬送器等の薬液手段と、薬液手段に指令を発する積算データ集計機構及び警報表示並びに運転、停止等の運転状況を表示、又は積算状況を表示する表示機構とを備えた積算装置と、積算装置に設けた指示手段で構成し、
噴霧手段を圃場の茶果樹内に収容し、また積算装置の指令で、薬液手段を作用するプログラムを積算装置に組入れ可能とした防除適期積算装置である。
【００２３】
従って、請求項１は、圃場の現場に即し、かつ実用に供し得る構造であって、かつ有効積算温度を計測し、この計測に基づいて、防除実績を確保するのに最適な防除適期積算装置を提供できること、またこの有効積算温度を測定し、この測定を利用して防除が確実に図れる構造の防除適期積算装置を提供できること等の特徴を有する。そして、最適な防除期間を検出し、適切な各箇所、例えば、樹枝に対して防除用薬液を散布できること、この最適で、かつ薬効が確保できる散布を介して樹枝の衰退、薬液公害及び／又は健康障害等の回避が図れること、さらに経済性の向上が図れること等の特徴を有する。
【００２４】
請求項２の発明は、請求項１に記載の防除適期積算装置において、薬液手段及び／又は積算装置を、圃場に多数設置する構成であって、多数の積算装置の中で、所定のエリアの積算装置が指令を発した場合に、エリアにある薬液手段が薬液を散布する構成とした防除適期積算装置である。
【００２５】
従って、請求項２は、請求項１の目的を達成できること、この目的を達成するのに最適な薬液手段及び／又は積算装置の配置構造を提供できること等の特徴を有する。
【００２６】
請求項３の発明は、請求項１に記載の防除適期積算装置において、圃場で栽培する対象物が、茶、果実、植物等の人の食生活に関する生物とした防除適期積算装置である。
【００２７】
従って、請求項３は、請求項１の目的を達成できること、この目的を達成するのに最適な積算装置の立設構造を提供できること等の特徴を有する。
【００２８】
請求項４の発明は、請求項１に記載の防除適期積算装置において、薬液は、圃場の茶樹で寄生するクワシロカイガラムシのふ化直後の幼虫に有効な処理液である防除適期積算装置である。
【００２９】
従って、請求項４は、請求項１の目的を達成できること、この目的を達成するのに最適な処理液を提供できること等の特徴を有する。
【００３０】
請求項５の発明は、請求項４に記載の防除適期積算装置において、圃場の茶樹で寄生するクワシロカイガラムシのふ化直後の幼虫に対する防除に有効な積算時間は、日数換算して、略１００日度〜略１，０００日度程度とする防除適期積算装置である。
【００３１】
従って、請求項５は、請求項４の目的を達成できること、この目的を達成するのに最適な有効な積算時間を確保できること等の特徴を有する。
【００３２】
請求項６の発明は、圃場に設置した薬液を噴霧可能な透孔性を備えたホースと、ホースに薬液を供給するポンプ、薬液搬送器等の薬液手段と、薬液手段に指令を発する積算データ集計機構及び警報表示並びに運転、停止等の運転状況を表示、又は積算状況を表示する表示機構とを備えた積算装置を利用した茶樹で寄生するクワシロカイガラムシのふ化直後の幼虫に対する防除に有効な積算時間を、日数換算して、略１００日度〜略１，０００日度程度にする構成とした防除適期積算装置を利用したクワシロカイガラムシの防除方法であって、
クワシロカイガラムシの防除方法は、積算装置に設けた積算データ集計機構からの指令を介して前記圃場の所定の薬液手段に指令し、薬液手段を作動させるとともに、薬液手段より薬液を噴霧する構成とし、各積算装置及び／又は各薬液手段を個別に作用し、圃場において、所定の箇所のクワシロカイガラムシを防除する防除適期積算装置を利用したクワシロカイガラムシの防除方法である。
【００３３】
従って、請求項６は、圃場の現場に即し、かつ実用に供し得る構造であって、かつ有効積算温度を計測し、防除実績を確保するのに最適な防除適期積算装置を提供すること、またこの有効積算温度を計測し、この計測を利用して防除が確実に図れる構造の防除適期積算装置を提供できること等の特徴を有する。そして、最適な防除期間を検出し、適切な各箇所、例えば、樹枝に対して防除用薬液を散布できること、この最適で、かつ薬効が確保できる散布を介して薬液公害及び／又は健康障害等の回避が図れること、さらに最小限の農薬で、農薬費、人件費等を削減可能となること、又は経済性の向上が図れるクワシロカイガラムシの防除方法を提供できること等の特徴を有する。
【発明を実施するための最良の形態】
【００３４】
本発明の一例を説明する。
【００３５】
図面の説明をすると、図１は茶園の圃場を示した全体図で、この圃場に防除適期積算装置を数台設置した俯瞰図、図２−１は図１の要部を一部省略した拡大正面図、図２−２は他の圃場であって、背高の果樹に本発明を採用した正面図、図２−３は他の圃場であって、他の実施例を背高の果樹に本発明を採用した正面図、図３は防除適期積算装置の正面図、図４は防除適期積算装置の側面図、図５は防除適期積算装置とポールとの関係を説明する拡大俯瞰平面図、図６は図３の防除適期積算装置のソーラーパネルを折畳んだ状態の正面図、図７は図６の側面図、図８はクワシロカイガラムシの雌介殻内の卵を示した拡大模式図、図９はクワシロカイガラムシの被害を受けた茶の状態を示した模式図である。
【００３６】
先ず、図３〜図７に示した防除適期積算装置Ａに関して説明すると、１は防除適期積算装置Ａの制御ボックスで、この制御ボックス１は正面に表示窓及び／又はメーカー名等の銘板等を備えた、略細長立方体で、圃場Ｈに設置しても違和感がなく、かつ機械の移動に邪魔とならない形態を保持している。その全体の形態は、図３と図４において把握できる瀟洒な形状である。
【００３７】
次に、この制御ボックス１の好ましい構成であって、必要とする機構を説明すると、積算データ集計機構１００及び警報表示１０１ａ並びに運転、停止等の運転状況の表示１０１ｂ、温度表示１０１ｃ、又は積算状況の表示１０１ｄ等の各必要とする指令及び／又は結果を表示する表示機構１０１を内蔵しており、またこの制御ボックス１には、ソーラーパネル２、温度センサー３と、必要により設けられる棒、網等の鳥類防止手段４と、バッテリー６を備えている。尚、図示するようにソーラーパネル２は、制御ボックス１に傾斜可能（可動及び／又は収容可能）に設けられており、太陽を確実に捉え得る構成とし、効率的な蓄電及び／又は省エネルギー、環境維持等に役立てることを意図する。そして、茶園では、茶園管理機械の走行時において、このソーラーパネル２を折畳むことで、走行を可能とすること及び／又はその容易性等に寄与できる構成となっている。また７はポール８に制御ボックス１を取付ける帯体であり、この帯体７には孔７００が開設されており、この孔７００に緊締バンド１０の端部１０００を挿入し、この緊締バンド１０をポール８に捲装した後、ボルト等の緊締具１１を介して制御ボックス１をポール８に取付けて、圃場Ｈの所定箇所及び／又は地面上に設置する（図５）。以上で説明した防除適期積算装置Ａは、一例であり、例えば、前記積算データ集計機構１００及び警報表示１０１ａ並びに運転、停止等の運転状況の表示１０１ｂ、又は積算状況の表示１０１ｄ等の各必要とする指令及び／又は結果を表示する表示機構１０１又はソーラーパネル２、温度センサー３の小型化、積算データ集計機構１００等のチップ機構の採用等を介してよりコンパクトに構成できることは勿論であり、さらに制御ボックス１に設けたソーラーパネル２に替わり、商業用の電源（電気）を利用することもあり得る。そして、温度センサー３は樹幹部の温度を積算するために、この樹幹部の近傍に設置する。また鳥類防止手段４は、制御ボックス１に着脱自在及び／又は折畳み自在に設けることで、茶園では、茶園管理機械の走行時において、この走行を可能とすること及び／又はその容易性等に寄与できる構成となっている。そして、場合により、例えば、ソーラーパネル２を可動しないで、鳥類防止手段４を取外すこともあり得る。尚、温度センサー３は、薬液が直接当たらない箇所に設定し、機器の損傷と、有効な計測等を図ることを意図する。そして、一段又は数段形式のカバー３００を設け、雨水・日避け、正確な計測等を意図する。
【００３８】
また１２はホースであり、このホース１２は、透孔性を有しており、このホース１２内を流れる薬液を、この透孔性を利用して拡散する構成である。そして、この透孔性は、細孔、透孔素材、メッシュ、スリット、ノズル等の各構成とする。このホース１２は、図２−１の例では、茶樹の樹枝の近傍に配置し、かつ圃場Ｈの茶畝Ｈ１の長手方向に延設するが、図示しない他の圃場Ｈの場合には、茶畝Ｈ１の直交方向に延設すること等もあり得る。尚、図２−２、図２−３の例では、ホース１２は地面に設置するか、又は、地面に設置する棚１２００に支持する。また棚１２００に替わり吊具も可能である。尚、このホース１２を分岐し、分岐ホース１２ａとすることも可能であり、この分岐ホース１３ａを、例えば、背高の果樹Ｈ２の枝に付設すること、又は地面に分岐すること等を介して効率的かつ節約するように薬液を散布する。
【００３９】
以上のような構成の防除適期積算装置Ａを圃場Ｈに設置して、樹枝周辺温度、殊に葉面の温度を積算する方法が好ましいので、この一例を、図１と図２−１に基づいて説明すると、圃場Ｈの茶畝Ｈ１の適所にそれぞれ複数設置する。この設置状態を図１に示している。そして、この圃場Ｈの茶畝Ｈ１の長手方向にはホース１２を数基設置し、この例ではこのホース１２にはポンプ等の薬液（噴霧）手段１４を設置する。このような状態において、例えば、防除適期積算装置Ａ−１が最適な防除期間を検出した場合には、この圃場Ｈのホース１２に設けた薬液手段１４から薬液（処理剤）を噴霧し、クワシロカイガラムシのふ化直後の幼虫を死滅させる。また防除適期積算装置Ａ−２が最適な防除期間を検出した場合には、この圃場Ｈのホース１２の周辺から薬液（処理剤）を噴霧し、クワシロカイガラムシのふ化直後の幼虫を死滅させる。このようにホース１２から拡散状に噴射される薬液を、広範囲に、かつ樹枝に向って直接的に噴霧することで、効率的な薬液効果と、クワシロカイガラムシのふ化直後の幼虫を死滅させること、又はこのホース１２と薬液手段１４とを利用した有機的な結合で、これらの相乗効果が期待できること等の特異な効果が発揮でき重宝する。そして、前述の如く、このクワシロカイガラムシは、樹枝（樹幹部）に寄生するために、葉面への散布では防除は期待できない。
また後述する薬液公害、茶樹の生育の確保、又は環境破壊の防止等に有効に作用する。そして、前述のようなホース１２から、特定の箇所に個別に、クワシロカイガラムシのふ化直後の幼虫を死滅させることが、薬液公害、茶樹の生育の確保、又は環境破壊の防止等に有効に作用する。
【００４０】
尚、このホース１２の近傍に、図示しないファンを設置し、薬液を広範囲で、かつ遠方に拡散する圃場の例もあり得る。またホース１２の吹出方向の変更、又はその一部の部位及び／又は方向に、薬液を噴霧することもあり得る。またホース１２にノズル（図示せず）を設け、このノズルを介して薬液を、直接、樹枝に寄生するクワシロカイガラムシのふ化直後の幼虫に散布することで、効率的な薬液効果等が図れる。
【００４１】
そして、この例では、ポール８に制御ボックス１を着脱自在に設けるとともに、昇降可能に設けたので、各種の圃場Ｈ及び／又は高さの異なる圃場Ｈ等に有効である。またこの制御ボックス１（防除適期積算装置Ａ）の収容及び／又は保管等に有益である。このような防除手段を行うことで、図８に示したクワシロカイガラムシのふ化直後の幼虫を死滅することが可能となり、同時に図９に示したクワシロカイガラムシの被害を受けた茶の状態を回避できる特徴がある。またこの防除適期積算装置Ａは、例えば、茶園の気候条件の異なる（積算気温が異なる。例えば、標高差のある）箇所に設置し、総合的にクワシロカイガラムシのふ化直後の幼虫を防除する構成が理想、かつ経済的であり、また環境維持等に有益である。
【００４２】
尚、図示しないが、前述した防除適期積算装置Ａの代替方法として、次のような構成も可能である。例えば、この種のクワシロカイガラムシ第２世代、第３世代（２化地帯、３化地帯）のふ化最盛期を、アメダス観測地点のデータを使用して予測し、この予測値を基に判断する。そして、実験によれば、この予測値に基づく推定日と実測日との差は３日以内の精度をもって推定できることが判明した。この圃場（茶園）の実験例では、ふ化最盛期（５０％ふ化卵塊が半数となる時期）の予測は、発育零点１０．５°、起算日を１月１日として、有効積算温度２８７日度となった。
【００４３】
そして、また前述した如く、クワシロカイガラムシの他の害虫としては、例えば、各種の果樹、各種の落葉果樹に生殖するマツモトコナカイガラムシ、フジコナカイガラムシ、コナカイガラムシ、ウメシロカイガラムシ、クワコナカイガラムシ等の樹枝の汁液を吸う害虫も同様に考えられる。
【図面の簡単な説明】
【００４４】
【図１】図１は茶園の圃場を示した全体図で、この圃場に防除適期積算装置を数台設置した俯瞰図
【図２−１】図２−１は図１の要部を一部省略した拡大正面図
【図２−２】図２−２は他の圃場であって、背高の果樹に本発明を採用した正面図
【図２−３】図２−３は他の圃場であって、他の実施例を背高の果樹に本発明を採用した正面図
【図３】図３は防除適期積算装置の正面図
【図４】図４は防除適期積算装置の側面図
【図５】図５は防除適期積算装置とポールとの関係を説明する拡大俯瞰平面図
【図６】図６は図３の防除適期積算装置のソーラーパネルを折畳んだ状態の正面図
【図７】図７は図６の側面図
【図８】図８はクワシロカイガラムシの雌介殻内の卵を示した拡大模式図
【図９】図９はクワシロカイガラムシの被害を受けた茶樹の状態を示した模式図
【符号の説明】
【００４５】
Ａ              防除適期積算装置
Ａ−１          防除適期積算装置
Ａ−２          防除適期積算装置
１              制御ボックス
１００          積算データ集計機構
１０１          表示機構
１０１ａ        警報表示
１０１ｂ        運転状況の表示
１０１ｃ        温度表示
１０１ｄ        積算状況の表示
２              ソーラーパネル
３              温度センサー
３００          カバー
４              鳥類防止手段
６              バッテリー
７              帯体
７００          孔
８              ポール
１０            緊締バンド
１０００        端部
１１            緊締具
１２            ホース
１２ａ          分岐ホース
１２００        棚
１４            薬液手段
Ｈ              圃場
Ｈ１            茶畝
Ｈ２            果樹
【図１】
2007244303.tif 000006
【図２−１】
2007244303.tif 000007
【図２−２】
2007244303.tif 000008
【図２−３】
2007244303.tif 000009
【図３】
2007244303.tif 000010
【図４】
2007244303.tif 000011
【図５】
2007244303.tif 000012
【図６】
2007244303.tif 000013
【図７】
2007244303.tif 000014
【図８】
2007244303.tif 000015
【図９】
2007244303.tif 000016